(57)【要約】【課題】  ロール用紙の幅方向の反りを、用紙詰まりを来たすことなく、十分に矯正することができるプリンタを提供する。【解決手段】  用紙ロール１とプラテンローラ９との間に、ロール用紙２に当接することでロール用紙２の幅方向の反りを矯正する反り矯正部としての反り矯正ローラ３を有している。さらに、プラテンローラ９によって繰り出されるロール用紙２にバックテンションをかけるように構成されている。【選択図】  図３
2008007235.tif 000002
【特許請求の範囲】
【請求項１】
ロール用紙を繰り出しつつ、紙面に対して印字を行うプリンタに適用され、ロール用紙の幅方向の反りを矯正する用紙反り矯正装置であって、
ロール用紙をロール状に巻回して成る用紙ロールからロール用紙を繰り出すと共に印字ヘッドに対してロール用紙を押圧するプラテンローラと、
用紙ロールと前記プラテンローラとの間にロール用紙の幅方向に平行に延びるように備えられ、ロール用紙の幅方向に平行な断面形状がロール用紙の幅方向の反りと反対向きに湾曲しており、ロール用紙に当接することでロール用紙の幅方向の反りを矯正する反り矯正部とを有する用紙反り矯正装置において、
前記プラテンローラによって繰り出されるロール用紙にバックテンションをかけるように構成されていることを特徴とする用紙反り矯正装置。
【請求項２】
前記反り矯正部は、ロール用紙の幅方向に平行な軸を中心に回転可能なローラ状を呈する請求項１に記載の用紙反り矯正装置。
【請求項３】
用紙ロールと前記反り矯正部との間にロール用紙の幅方向に平行に延びるように備えられ、ロール用紙の幅方向に平行な断面形状が直線状であり、用紙ロールから繰り出されるロール用紙が前記反り矯正部に当接するようにロール用紙を押さえる用紙押さえ部を有する請求項１または２に記載の用紙反り矯正装置。
【請求項４】
前記用紙押さえ部は、シャフト状を呈する請求項３に記載の用紙反り矯正装置。
【請求項５】
用紙ロールを受容する用紙ロールホルダを有し、該用紙ロールホルダは、前記反り矯正部よりも低位置に設けられ、これにより、用紙ロールの自重ならびに用紙ロールホルダの内側表面と用紙ロールの周面との間の摩擦によってロール用紙にバックテンションをかけるものである請求項１乃至４のいずれか１つに記載の用紙反り矯正装置。
【請求項６】
少なくとも一部がプリンタの構成部品によって構成されている請求項１乃至５のいずれか１つに記載の用紙反り矯正装置。
【請求項７】
ロール用紙を繰り出しつつ、紙面に対して印字を行うプリンタにおいて、請求項１乃至６のいずれか１つに記載の用紙反り矯正装置を有することを特徴とするプリンタ。
【発明の詳細な説明】
【技術分野】
【０００１】
本発明は、情報処理装置等の電子機器の周辺機器としてのプリンタや、レシートを発行するＰＯＳ（Point-Of-Sales）端末やチケットまたはクーポンの発券機に内蔵されるプリンタ部などとして使用されるプリンタに関し、特に、ロール用紙を繰り出しつつ紙面に印字を行うプリンタ、ならびに、このプリンタに適用される用紙反り矯正装置に関する。
【背景技術】
【０００２】
図１を参照すると、従来のこの種のプリンタは、プリンタ本体５と、プリンタ本体５にヒンジ１２を介して回動的に開閉可能に取り付けられた上部ユニット１３とを有している。
【０００３】
プリンタ本体５は、ロール用紙２をロール状に巻回して成る用紙ロール１を受容する用紙ロールホルダ６と、用紙ロール１から繰り出されるロール用紙２を印字が行われる箇所に向けて案内する第１の用紙ガイド７と、繰り出されたロール用紙に印字を行う印字ヘッド８と、印字が済んだロール用紙２を自動的に切断する用紙カッタ１０とを有している。
【０００４】
上部ユニット１３は、用紙ロール１から繰り出されるロール用紙２が第１の用紙ガイド７の先端部に当接するような方向にロール用紙２を押さえる用紙押さえシャフト１４と、プリンタ本体５に備えられた駆動源によって駆動され、用紙ロール１からロール用紙２を繰り出すと共に印字ヘッド８に対してロール用紙２を押圧するプラテンローラ９と、切断が済んだロール用紙２を所定の方向に排出すべく案内する第２の用紙ガイド１１とを有している。
【０００５】
ところで、ロール用紙は、ロール用紙をロール状に巻回して成る用紙ロールから繰り出されるものであるため、巻き癖により長さ方向に反っている。さらに、巻き癖や表裏層の材質の相違により幅方向にも弓形に反っている。特に、幅方向の反りは紙詰まり等を引き起こすため、この反りを簡素な構成で矯正することが望まれている。
【０００６】
図１に示した従来のプリンタにおいては、用紙ロール１から繰り出される幅方向に反ったロール用紙２を、第１の用紙ガイド７の直線状の先端部に当接させて、幅方向の反りを矯正している。
【０００７】
また、特許文献１には、画像形成処理の定着工程で生ずる熱によって幅方向に反った用紙を、樽型の主ローラと鼓型の補助ローラとによって挟み込み、幅方向の反りを矯正するプリンタが開示されている。
【０００８】
【特許文献１】特開２００５−１４５５８１号公報
【発明の開示】
【発明が解決しようとする課題】
【０００９】
しかし、図１に示した従来のプリンタにおいては、反りの矯正が十分ではない場合がある。
【００１０】
また、特許文献１に開示された例においては、幅方向に反った用紙が主ローラと補助ローラとの隙間に入らずに紙詰まりを起こす虞がある。
【００１１】
それ故、本発明の課題は、ロール用紙の幅方向の反りを、用紙詰まりを来たすことなく、十分に矯正することができるプリンタを提供することである。
【００１２】
また、本発明の課題は、上記のようなプリンタに適用される用紙反り矯正装置を提供することである。
【課題を解決するための手段】
【００１３】
本発明によれば、ロール用紙を繰り出しつつ、紙面に対して印字を行うプリンタに適用され、ロール用紙の幅方向の反りを矯正する用紙反り矯正装置であって、ロール用紙をロール状に巻回して成る用紙ロールからロール用紙を繰り出すと共に印字ヘッドに対してロール用紙を押圧するプラテンローラと、用紙ロールと前記プラテンローラとの間にロール用紙の幅方向に平行に延びるように備えられ、ロール用紙の幅方向に平行な断面形状がロール用紙の幅方向の反りと反対向きに湾曲しており、ロール用紙に当接することでロール用紙の幅方向の反りを矯正する反り矯正部とを有する用紙反り矯正装置において、前記プラテンローラによって繰り出されるロール用紙にバックテンションをかけるように構成されていることを特徴とする用紙反り矯正装置が得られる。
【００１４】
前記反り矯正部は、ロール用紙の幅方向に平行な軸を中心に回転可能なローラ状を呈していてもよい。
【００１５】
本発明によればまた、用紙ロールと前記反り矯正部との間にロール用紙の幅方向に平行に延びるように備えられ、ロール用紙の幅方向に平行な断面形状が直線状であり、用紙ロールから繰り出されるロール用紙が前記反り矯正部に当接するようにロール用紙を押さえる用紙押さえ部を有する前記用紙反り矯正装置が得られる。
【００１６】
前記用紙押さえ部は、シャフト状を呈していてもよい。
【００１７】
本発明によればさらに、用紙ロールを受容する用紙ロールホルダを有し、該用紙ロールホルダは、前記反り矯正部よりも低位置に設けられ、これにより、用紙ロールの自重ならびに用紙ロールホルダの内側表面と用紙ロールの周面との間の摩擦によってロール用紙にバックテンションをかけるものである前記用紙反り矯正装置が得られる。
【００１８】
また、本発明によれば、少なくとも一部がプリンタの構成部品によって構成されている前記用紙反り矯正装置が得られる。
【００１９】
さらに、本発明によれば、ロール用紙を繰り出しつつ、紙面に対して印字を行うプリンタにおいて、前記用紙反り矯正装置を有することを特徴とするプリンタが得られる。
【発明の効果】
【００２０】
本発明によるプリンタは、ロール用紙の幅方向の反りを、用紙詰まりを来たすことなく、十分に矯正することができる。
【００２１】
即ち、ロール用紙の巻き癖等によるロール用紙の幅方向の反りを確実に矯正できるため、ロール用紙の繰り出しが安定し、プリンタの動作の信頼性が向上する。
【００２２】
また、印字工程中にロール用紙の幅方向の反りを矯正するため、印字が済んでプリンタから排出されたロール用紙は既に反りが除去もしくは低減されているため、印字済みのロール用紙の取り扱い性が向上する。
【００２３】
さらに、反り矯正部のみ、もしくは、反り矯正部とこれにある程度の間隙を置いて配置される直線状の用紙押さえ部とによってロール用紙の幅方向の反りを矯正するものであるため、構造が簡素であり、サイズが小さく、低コストであると共に、反り矯正のための構成部分において紙詰まりを来たすことがない。
【発明を実施するための最良の形態】
【００２４】
本発明による用紙反り矯正装置は、ロール用紙を繰り出しつつ、紙面に対して印字を行うプリンタに適用され、ロール用紙の幅方向の反りを矯正するものである。本矯正装置は、ロール用紙をロール状に巻回して成る用紙ロールからロール用紙を繰り出すと共に印字ヘッドに対してロール用紙を押圧するプラテンローラと、用紙ロールとプラテンローラとの間にロール用紙の幅方向に平行に延びるように備えられ、ロール用紙の幅方向に平行な断面形状がロール用紙の幅方向の反りと反対向きに湾曲しており、ロール用紙に当接することでロール用紙の幅方向の反りを矯正する反り矯正部とを有している。
【００２５】
特に、本矯正装置は、プラテンローラによって繰り出されるロール用紙にバックテンションをかけるように構成されている。このため、特許文献１に開示されたプリンタのように主ローラと反対の形状の補助ローラを有していなくとも、ロール用紙の幅方向の反りを十分に矯正することができる。しかも、ロール用紙の幅方向と反対の形状の間隙が存在しないため、反りの矯正を行う部分において用紙詰まりを来たすことがない。
【実施例】
【００２６】
以下、図面を参照して、本発明によるプリンタならびに用紙反り矯正装置の実施例を説明する。
【００２７】
［実施例１］
図２は、本発明の実施例１による用紙反り矯正装置が適用されるプリンタを示している。図３は、図２に示されたプリンタのうちの本実施例による用紙反り矯正装置の要部を示している。尚、本実施例によるプリンタは、その用紙反り矯正装置に関する構成以外は、通常のプリンタと同様であるため、詳細な説明は省略する。
【００２８】
図２および図３を参照すると、本発明の実施例１による用紙反り矯正装置は、図１に示された従来のプリンタと同様に、プリンタ本体５と、プリンタ本体５にヒンジ１２を介して回動的に開閉可能に取り付けられた上部ユニット１３とを有している。
【００２９】
プリンタ本体５は、ロール用紙２をロール状に巻回して成る用紙ロール１を受容する用紙ロールホルダ６と、用紙ロール１から繰り出されるロール用紙２を印字が行われる箇所に向けて案内する第１の用紙ガイド７と、繰り出されたロール用紙に印字を行う印字ヘッド８と、印字が済んだロール用紙２を自動的に切断する用紙カッタ１０とを有している。
【００３０】
上部ユニット１３は、プリンタ本体５に備えられた駆動源によって駆動され、用紙ロール１からロール用紙２を繰り出すと共に印字ヘッド８に対してロール用紙２を押圧するプラテンローラ９と、切断が済んだロール用紙２を所定の方向に排出すべく案内する第２の用紙ガイド１１とを有している。
【００３１】
本用紙反り矯正装置はさらに、用紙ロール１とプラテンローラ９との間にロール用紙２の幅方向に平行に延びるように備えられ、ロール用紙２に当接することでロール用紙２の幅方向の反りを矯正する反り矯正部としての反り矯正ローラ３を有している。
【００３２】
さて、本用紙反り矯正装置は特に、プラテンローラ９によって繰り出されるロール用紙２にバックテンションをかけるように構成されている。
【００３３】
本実施例においては、用紙ロールホルダ６が、反り矯正ローラ３よりも低位置に設けられていることにより、用紙ロール１の自重ならびに用紙ロールホルダ６の内側表面と用紙ロール１の周面との間の摩擦によってロール用紙２にバックテンションをかけている。このように、本用紙反り矯正装置においては、その少なくとも一部がプリンタの構成部品によって構成されていてもよい。
【００３４】
尚、本発明において、ロール用紙２へのバックテンション印加手段としては、バネの弾性やシリコンオイルの粘性等を利用したダンパ構造を設けてバックテンションをかけるなどしてもよい。
【００３５】
反り矯正ローラ３は、ロール用紙２の幅方向に平行な断面形状がロール用紙２の幅方向の反りと反対向きに湾曲している。具体的には、図３から明らかなように、反り矯正ローラ３は、直径Ｃである中間部分と、直径Ｂである両端部分とを含む樽型を呈している。一方、本例の場合に、ロール用紙２は、その幅方向の断面形状が上向きに凹んだ弓状に湾曲している（図示せず）。これは、用紙ロール１の巻回方向と、用紙の表裏各材質に由来するものである。このように反っているロール用紙２は、樽形状の反り矯正ローラ３の上面に当接しながら繰り出されることにより、その幅方向の断面形状が下向きに凹んだ弓状になるようにしごかれ、反りが矯正される。ロール用紙の幅方向の反り形状は、用紙ロールの巻回方向と用紙の表裏各材質に由来し、予め分かっているため、反り矯正部との断面形状や配設位置（ロール用紙の表裏どちら側に配設されるか）が決定される。
【００３６】
本用紙反り矯正装置はさらに、用紙ロール１と反り矯正ローラ３との間にロール用紙２の幅方向に平行に延びるように備えられ、ロール用紙２の幅方向に平行な断面形状が直線状であり、用紙ロール１から繰り出されるロール用紙２が反り矯正ローラ３に当接するようにロール用紙を押さえる用紙押さえ部としての用紙押さえシャフト１４’を有している。用紙押さえシャフト１４’は、上部ユニット１３に回転可能に取り付けられており、プリンタ本体５に対して上部ユニット１３が閉じられた際に、ロール用紙２は、反り矯正ローラ３と用紙押さえシャフト１４’との間を通過する構造になっている。
【００３７】
次に、本用紙反り矯正装置（本プリンタ）の動作を説明する。
【００３８】
ユーザによって、上部ユニット１３がヒンジ１２を中心に開かれ、プリンタ本体５の用紙ロールホルダ６に用紙ロール１が装填される。用紙ロール１のロール用紙２の先端は、少なくともプラテンローラ９（印字ヘッド８）以降に位置するように、ユーザによってセットされる。
【００３９】
本プリンタが印字データを受信するとプラテンローラ９が図２中時計回りに回転し、ロール用紙２が図２中左に向かって繰り出される。ロール用紙２は用紙ロールホルダ６に装填された用紙ロール１と連続しているため、用紙ロール１も時計方向に回転し、用紙ロール１から順次ロール用紙２が繰り出される。
【００４０】
用紙ロール１から繰り出されるロール用紙２は、反り矯正ローラ３に当接しながら印字ヘッド８に向かって搬送される。反り矯正ローラ３は、ロール用紙２の幅方向中央領域に相当する部分が両端部分よりも直径が大きい（直径Ｂ＞直径Ｃ）ため、上向きに凹んだ反りのロール用紙２の幅方向中央領域が幅方向両端領域よりも反り矯正ローラ３に強く当たり、結果として、ロール用紙２は、図３のように下向きに凹んだ形に向かって矯正される。
【００４１】
［実施例２］
本発明の実施例２は、反り矯正部の形態が実施例１とは異なっている。このため、実施例２の実施例１と同一または同様の構成や動作内容は、詳細な説明を省略する。
【００４２】
図４を参照すると、本実施例による用紙反り矯正装置における反り矯正部は、ローラ状ではなく、用紙ロール１から繰り出されるロール用紙２を印字が行われる箇所に向けて案内する第１の用紙ガイド７’の先端部分によって構成されている。その具体的な形状は、予め分かっているロール用紙２の幅方向の反り形状と反対向きに湾曲した形状である。
【００４３】
［実施例３］
本発明の実施例３は、用紙押さえ部の形態が実施例１とは異なっている。このため、実施例３の実施例１と同一または同様の構成や動作内容は、詳細な説明を省略する。
【００４４】
図５を参照すると、本実施例による用紙反り矯正装置における用紙押さえ部は、シャフト状ではなく、上部ユニット（図示せず）に固定的に取り付けられた用紙押さえブロック１５によって構成されている。用紙押さえブロック１５は、用紙ロール１と反り矯正ローラ３との間にロール用紙２の幅方向に平行に延びるように備えられ、ロール用紙２の幅方向に平行な断面形状が直線状であり、用紙ロール１から繰り出されるロール用紙２が反り矯正ローラ３に当接するようにロール用紙２を押さえるものである。
【００４５】
［実施例４］
本発明の実施例４は、反り矯正部の形態と用紙押さえ部の形態とが実施例１とは異なっている。このため、実施例４の実施例１と同一または同様の構成や動作内容は、詳細な説明を省略する。
【００４６】
図６を参照すると、本実施例による用紙反り矯正装置における反り矯正部は、実施例２と同様に、用紙ロール１から繰り出されるロール用紙２を印字が行われる箇所に向けて案内する第１の用紙ガイド７’の先端部分によって構成されている。また、用紙押さえ部は、実施例３と同様に、用紙ロール１と反り矯正ローラ３との間にロール用紙２の幅方向に平行に延びるように上部ユニット（図示せず）に固定的に取り付けられ、ロール用紙２の幅方向に平行な断面形状が直線状であり、用紙ロール１から繰り出されるロール用紙２が用紙ガイド７’の先端部分に当接するようにロール用紙２を押さえるものである。
【産業上の利用可能性】
【００４７】
以上説明した実施例に限定されることなく、本発明は、当該特許請求の範囲に記載された技術範囲内であれば、種々の変形が可能であることは云うまでもない。例えば、本発明は、ロール用紙を繰り出しつつ紙面に印字を行うプリンタ全般に適用可能であり、ＰＯＳ端末のプリンタ部に代えて、チケットまたはクーポンの発券機などとして使用されるプリンタに適用されてもよい。
【図面の簡単な説明】
【００４８】
【図１】従来のプリンタの構成を示す図である。
【図２】本発明の実施例１による用紙反り矯正装置を含むプリンタの構成を示す図である。
【図３】図２に示されたプリンタの用紙反り矯正装置を含むプリンタの要部構成を示す図である。
【図４】本発明の実施例２による用紙反り矯正装置を含むプリンタの構成を示す図である。
【図５】本発明の実施例３による用紙反り矯正装置を含むプリンタの構成を示す図である。
【図６】本発明の実施例４による用紙反り矯正装置を含むプリンタの構成を示す図である。
【符号の説明】
【００４９】
１    用紙ロール
２    ロール用紙
３    反り矯正ローラ
５    プリンタ本体
６    用紙ロールホルダ
７、７’  用紙ガイド
８    印字ヘッド
９    プラテンローラ
１０    用紙カッタ
１１    用紙ガイド
１２    ヒンジ
１３    上部ユニット
１４    用紙押さえシャフト
１５    用紙押さえブロック
【図１】
2008007235.tif 000003
【図２】
2008007235.tif 000004
【図３】
2008007235.tif 000005
【図４】
2008007235.tif 000006
【図５】
2008007235.tif 000007
【図６】
2008007235.tif 000008